(57)【要約】【課題】鉄筋にコンクリートを打設しなくてもモルタル類のメッシュ金網への付着強度を高めることができ、支持体に対するモルタル類の保持強度も高めることができ、メッシュ金網の耐久性を向上させることも可能となると共に、併せて、鉄筋にコンクリートを打設した場合であってもモルタル類のメッシュ金網への付着強度を高めることができる板状部材の構築方法を提供する。【解決手段】支持体であるトラスユニット９に貼設するメッシュ金網１１の裏側に不織布１０を敷き、トラスユニット構成鉄筋の数カ所に、モルタル類８の全吹付厚と同程度が埋め込まれるような接合金物１２を取り付け、メッシュ金網１１の表側からモルタル類８を吹付ける。【選択図】  図１
2014105456.tif 000002
【特許請求の範囲】
【請求項１】
支持体であるトラスユニットに貼設するメッシュ金網の裏側に不織布を敷き、トラスユニット構成鉄筋の数カ所に、モルタル類の全吹付厚と同程度が埋め込まれるような接合金物を取り付け、メッシュ金網の表側からモルタル類を吹付けることを特徴とした板状部材の構築方法。
【請求項２】
接合金物は、トラスユニット構成鉄筋に巻回する頭部とこの頭部から延設して広がる脚片とからなるクリップ状金物で、吹付けるモルタル類をほぼ貫通するように設置される請求項１記載の板状部材の構築方法。
【請求項３】
クリップ状金物は、脚片相互にピンを架け渡す請求項２記載の板状部材の構築方法。
【発明の詳細な説明】
【技術分野】
【０００１】
本発明は、トラスユニットにモルタル類を吹付けることにより板状部材（例えば、天井、壁など）を構築する方法に関するものである。
【背景技術】
【０００２】
駅から当該エリアまでのメインアプローチを雨に濡れずに歩けるような、洞窟イメージの構造物を施工する場合に、天井に極力目地を作らないで、天井高をなるべく確保できるものとして、平面的にうねっている「うねうね」躯体の構築が検討される。
【０００３】
在来、鉄筋、型枠工法では困難だった三次元曲面や複雑な形状の不定形面を、鉄筋コンクリートの構造躯体で短期間で容易に作る三次元ＲＣ工法として、下記非特許文献１，２に示すニュートラスウォール（工法）がある。
【非特許文献１】インターネットウェブサイト、「旭ビルウォール株式会社」のホームページhttp://www.agb.co.jp/kei/new/index4.html
【非特許文献２】インターネットウェブサイト「建設総合ポータルサイト」の「ニュートラスウォール工法」の「電子カタログ」http://www.kensetsu-plaza.com/pict/264230/catalog.pdf
【０００４】
このニュートラスウォール工法は、図６に示すように構造用鉄筋としての主筋１を組み込んだ成形鉄筋であるトラス筋２と三層ネット３を用い、三層ネット３にモルタル類８を吹付施工する。図中４は配力筋、５はコンクリート打ち込みである。なお、三層ネット３は、ワイヤーメッシュ、メタルラス、平織金網からなる。
【０００５】
ＣＡＤによるモデリングか、形状が複雑でＣＡＤによるモデリングが困難な場合は、原型模型を製作し、３Ｄスキャンを行い、ＣＡＤデータとする。
【０００６】
コンピュータにより、構造解析、製作図の作成を行い、構造解析結果を基に躯体厚、配筋を決定し加工図を作図する。その後、原寸の型紙を出力し、成形鉄筋トラスを製作する。
【０００７】
図７に成形鉄筋トラス製作の例を示すと、承認図に従い、主筋１を組み込んだトラス筋２は弦材２ａとラチス２ｂからなり、アーク溶接にて作製する。
【０００８】
図８に示すように、加工済みの成形鉄筋トラスにヨコ筋を通しタテ筋との交点を溶接にて固定しユニット全体を強固にする。図中６は組立て用治具である。このように加工済みの成形鉄筋トラスをトラックで運べる大きさまで組立、ユニット化する。
【０００９】
ユニットの取付は、取付に必要な墨出しを前もって行っておき、所定の位置へクレーンで吊り上げセットする。
【００１０】
各ユニットの取付完了後、ユニット間のジョイント筋や補強鉄筋等を配筋していく。鉄筋の組立完了後、三層ネットを内外面の未設置部分に結束線を用いて取付ける。
【００１１】
図９に示すように、コンクリート圧送ホース７によりコンクリートを打設し、このコンクリート打設口は、打設後に結束で塞いでいく。打設後、モルタル塗り、その他左官仕上工事を行う。
【００１２】
このニュートラスウォール工法によれば、在来型枠工法では施工が困難であった不定形面や、曲面、急勾配面等に対応でき、また、鉄筋工事と型枠工事を同時に施工することができる。
【発明の概要】
【発明が解決しようとする課題】
【００１３】
前記ニュートラスウォール工法では、構造体として組立てられた鉄筋にコンクリートを打設することで内部に基盤となる層ができるため、モルタル類を塗った場合に三層ネット３のメッシュ金網に十分にモルタル類が含浸され、結果として得られるモルタル層は十分な固定強度が得られているものの、前記の不定形面、曲面、急勾配面や、天井や軽量化を求められる箇所の施工においては、鉄筋にコンクリートを打設した場合、構造物の重量が増加したり、構造物のバランスが不安定になったりという場合がある。
【００１４】
また、このニュートラスウォール工法の応用として、トラスユニットを使用して非構造体を形成する場合には、モルタル類のメッシュ金網への付着強度に難がある。すなわち、トラス筋に対するモルタル類の保持は三層ネットを固定する結束線の強度のみに拠ることになり、十分な固定強度が得られない上、モルタル類が三層ネットのメッシュ金網に十分に絡みつかず、地震力・風圧力等による建物挙動、部材自体の重量によるクリープたわみに対して耐え切れずに、モルタル類の落下、メッシュ界面での破断・破損という危険性を有していた。
【００１５】
本発明の目的は前記従来例の不都合を解消し、鉄筋にコンクリートを打設しなくてもモルタル類のメッシュ金網への付着強度を高めることができ、支持体に対するモルタル類の保持強度も高めることができ、メッシュ金網の耐久性を向上させることも可能となると共に、併せて、鉄筋にコンクリートを打設した場合であってもモルタル類のメッシュ金網への付着強度を高めることができる板状部材の構築方法を提供することにある。
【課題を解決するための手段】
【００１６】
前記目的を達成するため請求項１記載の本発明は、支持体であるトラスユニットに貼設するメッシュ金網の裏側に不織布を敷き、トラスユニット構成鉄筋の数カ所に、モルタル類の全吹付厚と同程度が埋め込まれるような接合金物を取り付け、メッシュ金網の表側からモルタル類を吹付けることを要旨とするものである。
【００１７】
請求項１記載の本発明によれば、モルタル類を吹付けるメッシュ金網の裏側に不織布を敷くことにより、モルタル類が不織布に絡みつき、その結果メッシュ金網への付着強度を高めることができる。すなわち、地震力・風圧力等による建物挙動に伴う変形や、部材自体の重量によるクリープたわみが発生したとしても、モルタル類は裏面に敷かれた不織布に絡みつくことによりメッシュ金網との十分な付着強度を確保することができる。
【００１８】
また、支持体における数カ所に接合金物を設置し、その接合金物はモルタル類の中にほぼ貫通するような仕様とすることにより、支持体に対するモルタル類の保持強度を高めることができる。つまり、曲面のトラスユニットでも、数カ所に接合金物を固定しその接合金物をモルタルの中にほぼ貫通する程度まで埋め込むことにより、トラスユニットに対するモルタル類の固定強度を高めることができる上、モルタル類に生ずる引張力を直接トラスユニットに伝達させることができるため、モルタル類の破断、破損、落下等の不都合が生ずることを回避することができる。
【００１９】
さらに、クリープたわみ等でモルタル類に生ずる引張力をメッシュ金網で全て受けることなく、接合金物を介して直接支持体に伝達させることができるため、メッシュ金網の耐久性を向上させることも可能となる。
【００２０】
請求項２記載の本発明は、接合金物は、トラスユニット構成鉄筋に巻回する頭部とこの頭部から延設して広がる（例えば二股状など）脚片とからなるクリップ状金物で、吹付けるモルタル類をほぼ貫通するように設置されることを要旨とするものである。
【００２１】
請求項２記載の本発明によれば、接合金物は、頭部がトラスユニット構成鉄筋に巻回するクリップ状金物であり、これにより強度のある掛止が可能となる。
【００２２】
請求項３記載の本発明は、クリップ状金物は、脚片相互にピンを架け渡すことを要旨とするものである。
【００２３】
請求項３記載の本発明によれば、ピンにより接合金物はクリップ度が向上し、また、このピンが横方向に突出するシアコネクターとして作用する。
【発明の効果】
【００２４】
以上述べたように本発明の板状部材の構築方法は、支持体であるトラスユニットにメッシュ金網を貼設してモルタル類を吹付ける場合に、モルタル類のメッシュ金網への付着強度を高めることができ、支持体に対するモルタル類の保持強度も高めることでき、メッシュ金網の耐久性を向上させることも可能となるものである。
【発明を実施するための形態】
【００２５】
以下、図面について本発明の実施の形態を詳細に説明する。図１は本発明の３次元自由曲面部材の構築方法の１実施形態を示す縦断側面図で、図中９は支持体である曲面トラスユニットである。
【００２６】
この曲面トラスユニット９は、前記図７で示したニュートラスウォール工法で用いる成形鉄筋トラスで、主筋１を組み込んだトラス筋２は弦材２ａとラチス２ｂからなり、アーク溶接にて作製する。成形鉄筋トラスを、搬送可能な大きさまで３次元曲面状に組立てユニット化する。
【００２７】
図示は省略するが、構造体の梁やスラブに予め先付けインサートを設置しておき、そこに下地金物を取り付ける。
【００２８】
下地金物に曲面トラスユニット９を高力ボルト等で固定し、曲面トラスユニットを構造体から吊り下げる。
【００２９】
曲面トラスユニット９の外側（モルタル吹付け面側）に不織布１０を添着し、その上にメッシュ金網１１を敷き、曲面トラスユニット９とメッシュ金網１１を結束線で結束固定する。
【００３０】
つまり、モルタル類を吹付けるメッシュ金網１１の裏側に不織布１０を入れるような形態となる。なお、曲面トラスユニット９へのこれら不織布１０やメッシュ金網１１の取付手順は、不織布１０を先に貼り、その後でメッシュ金網１１を貼る、もしくは、不織布１０とメッシュ金網１１を合わせたものを曲面トラスユニット９に取り付けるかのいずれを問わない。
【００３１】
曲面トラスユニット９の複数個所に接合金物１２を設置する。この時、接合金物１２は、曲面トラスユニットのモルタル吹付け面側に根元部がくるような形態で取り付ける。また、接合金物１２は、曲面トラスユニット９に対するモルタル類８の十分な固定強度を確保するため、モルタル類８の全体吹付厚程度埋め込む或いは貫通するような仕様とする。
【００３２】
図２〜図５に示すように、接合金物１２は、曲面トラスユニット９の構成鉄筋（弦材２ａ）に巻回するように円形に湾曲させた頭部１２ａとこの頭部１２ａから延設してハの字状に広がる脚片１２ｂとからなる二股状のクリップ状金物である。
【００３３】
脚片１２ｂには端部近くにピン挿入孔１２ｃが設けてあり、このピン挿入孔１２ｃを介して脚片１２ｂ相互にピン１３を架け渡す。このピン１３の端は左右に突出する。
【００３４】
接合金物１２の製作にあたっては、トラスユニットに取り付けした場合に全体吹付厚を飛び出すようにした。
【００３５】
施工計画で決めた品質管理項目を検査する。詳細には、曲面トラスユニット９の取付完了後、監理者のメッシュ金網貼り前検査を受検する。その後、不織布１０を貼りその上にメッシュ金網１１を結束線にて固定する。最後にモルタルヘの接合金物１２を取り付ける。メッシュ金網ラス貼り工事が完了後、監理者のモルタル吹付け前検査を受検する。
【００３６】
メッシュ金網１１の表面にモルタル類を吹付ける。このモルタルはメッシュ金網１１に吹付けるが、しっかりと絡みつくように裏に不織布１０を入れている。
【００３７】
モルタルは、下吹きを吹付け、一定期間の養生の後、中吹き・上吹きを連続して吹付ける。
【図面の簡単な説明】
【００３８】
【図１】本発明の３次元自由曲面部材の構築方法の１実施形態を示す吹付時の縦断側面図である。
【図２】本発明の３次元自由曲面部材の構築方法の１実施形態を示す吹付け前の縦断側面図である。
【図３】接合金物の側面図である。
【図４】接合金物の底面図である。
【図５】接合金物の正面図である。
【図６】ニュートラスウォール工法の説明図である。
【図７】成形鉄筋トラスの例を示す説明図である。
【図８】成形鉄筋トラス製作の斜視図である。
【図９】ニュートラスウォール工法のコンクリート打設を示す側面図である。
【符号の説明】
【００３９】
１…主筋                      ２…トラス筋
２ａ…弦材                    ２ｂ…ラチス
３…三層ネット                ４…配力筋
５…コンクリート打ち込み      ６…組立て用治具
７…コンクリート圧送ホース    ８…モルタル類
９…曲面トラスユニット        １０…不織布
１１…メッシュ金網            １２…接合金物
１２ａ…頭部                  １２ｂ…脚片
１２ｃ…ピン挿入孔            １３…ピン
【図１】
2014105456.tif 000003
【図２】
2014105456.tif 000004
【図３】
2014105456.tif 000005
【図４】
2014105456.tif 000006
【図５】
2014105456.tif 000007
【図６】
2014105456.tif 000008
【図７】
2014105456.tif 000009
【図８】
2014105456.tif 000010
【図９】
2014105456.tif 000011